(57)【要約】本発明は、記録媒体と、較正方法と、その記録媒体を読み出す読み出し装置に関する。ドメインコピープロセスの空間的コピーウィンドウのサイズを、読出パルスから導かれた制御情報に応じて少なくとも１つの所定の読出パラメータを変化させ、所定の追加変化パターンを所定のパラメータの所定の追加変化パターンに適用することにより制御する。追加変化パターンにより再生データパターンに誘起された位相変化の特徴値（例えば、位相振幅）をコピーウィンドウ制御の基準設定点として用いる。少なくとも１つの所定のパラメータの所定の最適値を決定し、その読出パラメータの最適値が適用されたとき、誘起された位相変化の特徴値を検出するため、読出装置により再生されたデータパターンをモニターする。別の手段として、特徴値を記録媒体に格納してもよい。それにより正確に測定できる設定点信号が得られる。さらにまた、設定点を記録媒体の内在的特性として格納した場合、較正動作の回数を大幅に減らすことができる。
2006526234.tif 000002
【特許請求の範囲】
【請求項１】
記憶層と読出層を有する光磁気記録媒体の読み出し中にコピーウィンドウ制御設定点を較正する較正方法であって、
前記外部磁場を用いて放射パワーにより加熱した際にマーク領域を前記記憶層から前記読み出し層にコピーすることにより、読み出しパルスをもたらす拡大ドメインが前記読み出し層に生成され、
前記方法は、
ａ）少なくとも１つの所定の読み出しパラメータを変化させるステップと、
ｂ）前記変化させるステップ中に再生されたデータパターンをモニターするステップと、
ｃ）前記モニターされたデータパターンに基づき前記少なくとも１つの所定の読み出しパラメータの少なくとも１つの限界値を決定するステップと、
ｄ）前記少なくとも１つの読み出しパラメータを前記限界値に基づき決定された所定の値設定するステップと、
ｅ）所定のさらなる変化パターンを前記所定のパラメータに適用するステップと、
ｆ）前記さらなる変化パターンにより前記再生データパターンに誘起された位相変化の特徴値を前記制御設定点として使用するステップと、を有することを特徴とする方法。
【請求項２】
請求項１に記載の方法であって、
前記少なくとも１つの限界値は、再生されたデータパターン中の少なくとも１つのピークが失われることにより決定された下限値と、前記再生されたデータパターン中に少なくとも１つの偽ピークが現れることにより決定された上限値とを有することを特徴とする方法。
【請求項３】
請求項１または２に記載の方法であって、前記特徴値は前記位相変化の振幅に対応することを特徴とする方法。
【請求項４】
請求項２に記載の方法であって、
前記所定値は前記下限値と前記上限値の間にあることを特徴とする方法。
【請求項５】
請求項２ないし４いずれか一項に記載の方法であって、
前記所定値は前記下限値と前記上限値のおよそ中央にあることを特徴とする方法。
【請求項６】
請求項１ないし５いずれか一項に記載の方法であって、
前記所定の読み出しパラメータは、前記放射パワーの値と前記外部磁場の値の少なくとも１つに対応することを特徴とする方法。
【請求項７】
請求項１ないし６いずれか一項に記載の方法であって、
前記さらなる変化パターンは所定の周波数を有する周期的変調パターンであることを特徴とする方法。
【請求項８】
請求項１ないし７いずれか一項に記載の方法であって、
前記再生されたデータパターンは前記記録媒体の較正エリアに備えられた所定のデータパターンであることを特徴とする方法。
【請求項９】
請求項１ないし７いずれか一項に記載の方法であって、
前記再生されたデータパターンは、前記記録媒体の記録エリアに備えられた任意のユーザデータパターンであり、
前記決定するステップはランレングス違反の検出に基づくことを特徴とする方法。
【請求項１０】
請求項１ないし９いずれか一項に記載の方法であって、
前記少なくとも１つの所定の読出パラメータは前記変化させるステップの際に低い値から高い値に、またはその逆に受動的にスイープされ、前記低い値は前記下限値が取り得るすべての値よりも低く、前記高い値は前記上限値が取り得るすべての値よりも高いことを特徴とする方法。
【請求項１１】
請求項１ないし９いずれか一項に記載の方法であって、
前記少なくとも１つの所定の読出パラメータは、前記変化させるステップの際に初期デフォルト値からより低い値またはより高い値に能動的に変更され、変更の方向は前記モニターするステップの際に前記再生されたデータパターンで決定された偽のピークまたは失われたピークの数に応じて決まることを特徴とする方法。
【請求項１２】
請求項１０または１１に記載の方法であって、
前記下限値は、前記モニターするステップの際検出された失われたピークの数が所定の第１の閾値に到達したときに前記低い値に対応した値に設定され、前記上限値は、前記モニターするステップの際検出された偽のピークの数が所定の第２の閾値に到達したときに前記高い値に対応した値に設定されることを特徴とする方法。
【請求項１３】
記憶層及び読出層を有する光磁気記録媒体の読み出す読出装置であって、
前記外部磁場を用いて放射パワーにより加熱した際にマーク領域を前記記憶層から前記読み出し層にコピーすることにより、読み出しパルスをもたらす拡大ドメインが前記読み出し層に生成され、
前記装置は、
前記読出パルスから導かれた制御情報に応じて、少なくとも１つの所定の読出パラメータを変化させることにより前記コピープロセスの空間的コピーウィンドウのサイズを制御する制御手段と、
前記少なくとも１つの所定のパラメータに所定のさらなる変化パターンを適用する変更手段と、
前記さらなる変化パターンにより再生データパターンに誘起された位相変化の特徴値を前記制御手段の基準設定値として使用する較正手段と、
を有することを特徴とする読出装置。
【請求項１４】
請求項１３に記載の読出装置であって、
前記較正手段は、前記少なくとも１つの所定のパラメータの所定の最適値を決定し、前記読出パラメータの前記最適値が適用された時、前記誘起された位相変化の前記特徴値を検出するために、前記読み出し装置により再生された前記データパターンをモニターすることを特徴とする読み出し装置。
【請求項１５】
請求項１３に記載の読出装置であって、
前記記録媒体から前記特徴値を読み出し、前記特徴値を前記較正手段に供給するように較正されていることを特徴とする読出装置。
【請求項１６】
請求項１５に記載の読出装置であって、
前記記録媒体の少なくとも１つの所定のパラメータに基づいて前記記録媒体から前記特徴値を読み出すように構成されていることを特徴とする読出装置。
【請求項１７】
請求項１６に記載の読出装置であって、
前記記録媒体の前記少なくとも１つの所定のパラメータは、半径方向位置及び読み出し速度のうち少なくとも１つを有することを特徴とする読出装置。
【請求項１８】
請求項１３ないし１７いずれか一項に記載の読出装置であって、
前記特徴値は、前記位相変化の振幅に対応することを特徴とする読出装置。
【請求項１９】
請求項１３ないし１８いずれか一項に記載の読出装置であって、
MAMMOSディスク用のディスクプレーヤであることを特徴とする読出装置。
【請求項２０】
記憶層及び読出層を有する記録媒体であって、
前記外部磁場を用いて放射パワーにより加熱した際にマーク領域を前記記憶層から前記読み出し層にコピーすることにより、読み出しパルスをもたらす拡大ドメインが前記読み出し層に生成され、
前記記録媒体は前記コピープロセスの空間的コピーウィンドウのサイズを制御する基準設定点を決める較正情報が書き込まれていることを特徴とする記録媒体。
【請求項２１】
請求項２０に記載の記録媒体であって、
前記較正情報は前記記録媒体の少なくとも１つのパラメータの異なる値に対する複数の基準設定点を決めることを特徴とする記録媒体。
【請求項２２】
請求項２１に記載の記録媒体であって、
前記記録媒体の前記少なくとも１つの所定のパラメータは半径方向位置及び読出速度のうち少なくとも１つを有することを特徴とする記録媒体。
【請求項２３】
請求項２０ないし２２いずれか一項に記載の記録媒体であって、
前記特徴値は前記記録媒体から再生したデータパターンの位相振幅に対応することを特徴とする記録媒体。
【請求項２４】
請求項２０ないし２３いずれか一項に記載の記録媒体であって、
前記基準設定点の較正のための所定データパターンを有する較正エリアを有することを特徴とする記録媒体。
【請求項２５】
請求項２０ないし２３いずれか一項に記載の記録媒体であって、
前記基準設定点の較正のための任意のユーザデータパターンを有する較正エリアをさらに有することを特徴とする記録媒体。
【請求項２６】
請求項２０ないし２５いずれか一項に記載の記録媒体であって、
MAMMOSディスクであることを特徴とする記録媒体。
【発明の詳細な説明】
【発明の詳細な説明】
【０００１】
本発明は、MAMMOS（磁気増幅光磁気システムMagnetic  Amplifying  Magneto-Optical  System）などの記録媒体、較正方法、該記録媒体を読み出す装置に関する。該記録媒体は、記録または記憶層と、拡張または読出層を有する。読出パルスから得られた制御情報に応じて所定の読出パラメータを変更することにより、コピーウィンドウが動的に制御される。
【０００２】
従来の光磁気記憶システムにおいては、記録されたマークの最小幅が回折限界、すなわち合焦レンズの開口数およびレーザ波長により決まる。幅を小さくするには、一般的に、レーザの波長を短くし合焦光学系の開口数を高くする。光磁気での記録の際、レーザパルス磁場変調（LP-MFM）を用いることにより、最小ビット長を光学的回折限界より小さくすることができる。LP-MFMでは、ビット遷移は、磁場のスイッチングと、レーザのスイッチングにより誘起される温度勾配とにより決まる。
【０００３】
MAMMOSなどのドメイン拡張法では、レーザで加熱された際、外部磁場により、サイズが回折限界より小さい書込マークが記憶層から読み出し層にコピーされる。この読み出し層は保持力が低いので、コピーされたマークは光スポット全体に広がり、マークサイズに係わらず飽和した信号レベルが検出できる。外部磁場を反転すると拡張されたドメインは消失する。一方、記憶層のスペースはコピーされず、拡張も起こらない。それ故、この場合には信号が検出されない。
【０００４】
記憶層のビットやドメインを読み出すため、光スポットの熱プロファイルを用いる。読出層の温度が所定の閾値より高い時、磁気ドメインが記憶層から静磁気的に結合した読出層にコピーされる。その理由は、記憶層からの漂遊磁界Hs（記憶層の磁化に比例する）が温度の関数として大きくなるからである。補償温度Tcompのすぐ上の温度領域では、磁化Msが温度の関数として上昇する。この特徴は、希土類遷移金属（RE-TM）合金を用いたので、逆方向に２つの対向磁化MRE（希土類成分）とMTM（遷移金属成分）が生じることに起因する。
【０００５】
外部磁場をかけると、読出層のコピーされたドメインが拡張し、元のドメインのサイズにかかわらず飽和検出信号を得ることができる。コピープロセスは非常に非線形である。温度が閾値より高い時、磁気ドメインが記憶層から読出層に結合される。閾値より高い温度では次の条件が満たされる。
【０００６】
Hs+Hext≧Hc                            （１）
ここで、Hsは読出層における記憶層の漂遊磁場であり、Hextは外部からかけられた磁場であり、Hcは読出層の保持力である。このコピーが起こる空間領域は「コピーウィンドウ」と呼ばれる。コピーウィンドウのサイズｗが正確な読み出しにとって非常に重要である。条件（１）が満たされない場合（コピーウィンドウのサイズｗ＝０）、コピーは起こらない。一方、コピーウィンドウのサイズが大きすぎると、周囲のビット（マーク）と重なってしまい、付加的な「干渉ピーク」ができてしまう。コピーウィンドウのサイズは温度プロファイルの形状そのもの（すなわちレーザパワーそのもの、しかし環境温度も）と、外部磁場の強さと、狭い（または広い）範囲で変化する材料パラメータとに依存する。
【０００７】
読出プロセスで使用されるレーザパワーはコピーが起こるのに十分な大きさでなければならない。一方、レーザパワーが大きいと、温度により誘起された保持力プロファイルとビットパターンの漂遊磁場の重なりを増やす。温度が高くなると保持力Hcは減少し、漂遊磁場は増大する。この重なりが大きくなりすぎると、周囲のマークにより生じる誤信号によりスペースを正しく読み出すことがもはやできなくなる。この最大レーザパワーと最小レーザパワーとの差がパワーマージンを決定する。そのパワーマージンはビット長が小さくなると大きく減少する。実験によると、現在の方法では0.10μｍのビット長は正しく検出できるが、パワーマージンは1％より小さい。よって、密度を最大にするとパワーマージンが非常に狭くなり、そのため読み出し中の光パワー制御が重要である。
【０００８】
MAMMOSでは、外部磁場の記録データとの同期が欠かせない。データ依存磁場スイッチングを用いることにより正確なクロックリカバリーが可能である。さらにまた、高密度では正確な読み出しのために使えるレーザパワーの範囲が非常に狭くなる。しかし、読み出しレーザパワーに対する感度を利用して、記録データからの読み出し信号を用いて、正確なパワー制御ループ（すなわち動的コピーウィンドウ制御）を作ることができる。このために、レーザパワーに小さな変調成分を加え、MAMMOS信号のタイミングシフトを誘起する。コピーウィンドウを一定に保つため、レーザパワー、外部磁場、環境温度のいかなる変化も、例えばこれらのシフトのロックイン検出により補正することができる。このように、従来のシステムよりも密度非常に高くしても、正確で堅固な読み出しが可能となる。
【０００９】
図２は、一定のレーザパワー、一定の環境温度、均一なディスク特性、一定な磁場強度、一定のコイル・ディスク間距離の定常状態におけるMAMMOSディスクの読み出し信号のうち重要なものの一部を示している。一番上のグラフは、記憶層の磁気ビットを示す。二番目のグラフは、磁気ビットパターンの重なり信号（コンボリューション）とコピーウィンドウを示す。三番目のグラフは外部磁場を示し、一番下のグラフは取得されたMAMMOS信号を示す。重なり信号がゼロでないとき、ドメインのコピーが起こる。記憶層からビットまたはドメインがコピーされ、読出層で拡大（図２の太線示した）されるまで、強い外部磁場が保たれる。一定の遅れの後、外部磁場は反転され、次のビット遷移またはドメインコピーが起こるまでドメインが消される。
【００１０】
図３は、図２に似た図であるが、例えば、上で説明した動的コピーウィンドウ制御機能により、レーザパワーなどの制御パラメータの１つが意図的に大きくされている。この増大／減少（ウォブリング）は、例えば小振幅の周期的パターンなどの所定変化パターンで行われる。ウォブリングにより、コピーウィンドウはそのサイズがウォブル周期に同期して大きくなったり小さくなったりする。図２と図３を比較すると、次のことが明らかになる。すなわち、コピーウィンドウのサイズが大きくなると、次の遷移が期待されるより少し早めに現れる。一方、コピーウィンドウのサイズが小さくなると、次の遷移が少し遅くなる。これは図３に示した位相エラー振幅ΔΦにより示されている。
【００１１】
図４の上部は、読み出しパラメータｘ（すなわち、レーザパワー及び／または外部磁場）に対するコピーウィンドウサイズの依存性の概略を示している。振幅Δｘで読出パラメータを変調すると、それに対応してコピーウィンドウサイズも変化Δｗを示す。これにより、図４の下部に示したように、直接的に、振幅ΔΦで位相変化が起こる。この位相振幅ΔΦは、読出パラメータｘに対しコピーウィンドウサイズｗの非線形な平方根のような依存性に起因する、読出パラメータの直接的な測定基準である。コピーウィンドウ制御ループの入力として使用するエラー信号の絶対値を求めるため、本制御方法では、外部磁場及び／またはレーザパワーなどの最適読出パラメータに対応する好適な基準設定点が必要である。しかし、この設定点を決定し較正する方法は今のところ提案されていない。好適な設定点を、較正方法を用いて見つけられるかも知れない。しかし、これには時間がかかり、スタートアップ時間が大きくなってしまう。
【００１２】
本発明の目的の１つは、好適な基準設定点を求め容易に較正できる、読出システム及び較正方法を提供することである。この目的は請求項１に記載の方法、請求項１３に記載の装置、請求項２０に記載の記録担体により達成することができる。
【００１３】
従って、最適な読出パラメータに対応する位相変化信号の特徴値を基準点として使用することは、この値は温度の変化に依存せず、クロック回復位相ロックループの位相検出器の出力のロックイン検出により非常に容易かつ正確に測定することができる。このように、ハードウェアに対する変更はほとんど必要ない。
【００１４】
さらにまた、記録媒体にこの設定点を格納する代替的または付加的手段により不必要な較正を無くすことができる。設定点は工場でプリセットでき、上で提案したように、読出問題（例えば、非標準的プレーヤ、ディスクの老朽化等）が発生した場合に、較正をすることにより読出装置で更新する必要があるだけである。
【００１５】
少なくとも１つの限界値には、再生データパターンの少なくとも１つの失われたピークの発生により決定された下限値と、再生データパターンの少なくとも１つの偽のピークの発生により決定された上限値とを含んでもよい。特に、所定の値は上限値と下限値との間の値でもよく、例えば、上限値と下限値のおよそ中間にある値でもよい。
【００１６】
さらにまた、所定の読出パラメータは、放射パワーと外部磁場のうち少なくとも１つの値に対応してもよい。
【００１７】
追加の変化パターンは、所定の周波数を有する周期的変調パターンであってもよい。
【００１８】
モニターされた再生データパターンは、記録媒体の較正エリアに設けられた所定かつ既知のデータパターンであってもよい。それによりデータ分析の量を最小限にすることができる。代案として、モニターされた再生データパターンは、記録媒体の記録エリアに設けられた任意のユーザデータパターンであり、決定するステップがランレングス違反検出に基づくものでもよい。
【００１９】
少なくとも１つの所定の読み出しパラメータは、変更するステップの際、低い値から高い値に、またはその逆に受動的にスイープされる。その低い値は下限値の可能なすべての値より低く、高い値は上限値の可能なすべての値より高い。
【００２０】
別の手段として、少なくとも１つの所定の読み出しパラメータは、変更ステップの際、初期デフォルト値からより低い値またはより高い値に能動的に変更されてもよい。変更の方向は、モニターするステップの際、再生データパターンで決定された偽のピークまたは失われたピークの数に応じて決まる。
【００２１】
いずれの場合にも、モニターするステップの際検出された失われたピークの数が所定の第１の閾値に達したとき、その低い値に対応する値に下限値が設定され、モニターするステップの際検出された偽のピークの数が所定の第２の閾値に達したとき、その高い値に対応する値に上限値が設定される。
【００２２】
失われたピークや偽のピークに関する情報の使用は、検出されたピークと期待されたピークの間の差の検出に基づくので、素早く簡単な制御フィードバックを提供する。
【００２３】
読み出し装置の較正手段は、少なくとも１つの所定のパラメータの所定の最適値を決定し、その読み出しパラメータの最適値が適用された時、誘起された位相変化の特徴値を検出するため、読み出し装置により再生されたデータパターンをモニターする。
【００２４】
別の手段あるいは追加の手段として、読み出し装置は、記録媒体から特徴値を読み出し、較正手段に特徴値を供給するように較正されている。特に、読出装置は、記録媒体の少なくとも１つの所定のパラメータに基づき、記録媒体から特徴値を読み出すように較正されている。記録媒体の少なくとも１つの所定のパラメータは、半径方向位置および読み出し速度のうち少なくとも１つを含んでもよい。もちろん、格納された特徴値は、特徴値に影響を与える記録媒体の他のパラメータに応じて読み出される。こうして、特徴値は記録媒体の内在的特性として扱われ、生産の際にプリセットすることができる。
【００２５】
記録媒体に格納した較正情報は、記録担体の少なくとも１つのパラメータの異なる値に対する複数の設定点を決める。
【００２６】
他の有利な別の実施形態は従属項に記載されている。
【００２７】
以下において、本発明を添付した図面を参照して好ましい実施形態に基づき説明する。
【００２８】
図１に示したMAMMOSディスクプレーヤに基づき好ましい実施形態を説明する。図１は、好ましい実施形態によるディスクプレーヤの構成を示す概略図である。該ディスクプレーヤは、レーザ光放射セクションと磁場印加セクションとを有する光ピックアップ部３０を有する。レーザ光放射セクションは、符号データと同期したパルスサイクルで読み出し中にパルスに変換された光で、光磁気ディスクなどの光磁気記録媒体または記録担体１０を照射する。磁場印加セクションは、光磁気ディスク１０への記録及び再生中に制御されたやり方で磁場を印加する磁気ヘッド１２を有する。光ピックアップ部３０では、レーザはレーザ駆動回路に接続されており、そのレーザ駆動回路は記録／読出パルス調整部３２から記録及び読出パルスを受け取り、記録及び読出動作時に光ピックアップ部３０のレーザのパルス振幅とタイミングを制御する。記録／読出パルス調節回路３２は、PLL（フェーズロックループ）回路を有するクロックジェネレータ２６からクロック信号を受け取る。
【００２９】
留意すべきことは、簡単のため、磁気ヘッド１２と光ピックアップ部３０は、図１においてディスク１０の反対側に示されていることである。しかし、好ましい実施形態では、ディスク１０の同じ側に配置される。
【００３０】
磁気ヘッド１２はヘッドドライバー１４に接続され、記録時にはモジュレータ２４から位相調整回路１８を介して符号変換されたデータを受け取る。モジュレータ２４は、入力記録データDIを所定の符号に変換する。
【００３１】
再生中、ヘッドドライバー１４は、タイミング回路３４から再生調整回路２０を介してタイミング信号を受け取る。該再生調整回路２０は、磁気ヘッド１２に印加されるパルスのタイミングと振幅を調整する同期信号を生成する。タイミング回路３４はデータ読出動作からタイミング信号を得る。そのため、データに依存した磁場スイッチングをすることができる。記録／再生スイッチ１６が備えられ、記録及び再生の間にヘッドドライバー１４に供給される信号をスイッチングまたは選択する。
【００３２】
さらにまた、光ピックアップ部３０は、ディスク１０から反射されたレーザ光を検出し対応する読出信号を生成する検出器を有する。該読出信号は、デコーダ２８に入力される。デコーダ２８は、その読出信号を復号して、出力データDOを生成する。さらにまた、光ピックアップ部３０により生成された読出信号は、クロックジェネレータ２６に供給される。クロックジェネレータ２６は、ディスク１０のエンボスされた（embossed）クロックマークから取得したクロック信号を抽出または回復し、そのクロック信号を同期のために記録パルス調整回路３２及びモジュレータ２４に供給する。特に、データチャンネルクロックがクロックジェネレータ２６のPLL回路で生成される。あるいは、クロックジェネレータ２６から取得したクロック信号が再生調整回路２０供給され、基準またはフォールバック同期を提供する。この同期により、タイミング回路３４により制御されたデータ依存スイッチングまたは同期がサポートされる。
【００３３】
データ記録の場合、光ピックアップ部３０のレーザがデータチャンネルクロックのサイクルに対応した固定周波数で変調され、回転しているディスク１０のデータ記録エリアまたはスポットが等距離で局所的に加熱される。また、クロックジェネレータ２６により供給されたデータチャンネルクロックがモジュレータ２４を制御して、標準クロック期間ごとにデータ信号を生成する。記録データをモジュレータ２４により変調及び符号変換し、記録データの情報に対応する２値ランレングス情報を得る。
【００３４】
光磁気記録媒体１０の構成は、日本の公開特許公報第2000-260079号に記載された構成に相当するものでもよい。
【００３５】
図１において、タイミング回路３４が備えられ、再生調整回路２０にデータ依存のタイミング信号を供給する。あるいは、外部磁場のデータ依存のスイッチングは、タイミング信号をヘッドドライバー１４に供給して外部磁場のタイミングまたは位相を調整することにより達成される。タイミング情報はディスク１０の（ユーザ）データから得られる。このため、再生調整回路２０またはヘッドドライバー１４は、（通常は拡大方向の）外部磁場を発生するように構成されている。タイミング回路３４が光ピックアップ部３０の出力に接続された入力ラインにおいてMAMMOSピーク信号の立ち上がりを捉えると、再生調整回路２０にタイミング信号が供給され、ヘッドドライバー１４が制御されて、読出層の拡大ドメインを消去するために、短い時間の後に磁場を反転する。その少し後に磁場を拡大方向にリセットする。ピーク検出と磁場リセットの間の時間はタイミング回路３４により設定され、ディスク１０の最大許容コピーウィンドウと１チャンネルビット長の和（にディスクの線速度をかけたもの）と対応する。
【００３６】
さらにまた、レーザパワー制御信号を変調（例えばウォブルまたはパターン変更）し、読み出しモードで検出されたデータ信号からの情報を用いてコピーウィンドウのサイズｗを連続的に測定することにより、動的コピーウィンドウ制御機能を設ける。ウォブル周波数がクロックジェネレータ２６のクロック回復PLL回路の帯域幅より高いとき、このPLL回路の位相エラーを用いて、拡大された遷移位置に関する小さな偏差や位相エラーを検出することができる。
【００３７】
導入されたウォブルまたはパターン変更の周波数偏差の平均値はゼロであるべきである。しかし、ここで取得した位相エラーの振幅ΔΦをレーザパワー制御のための絶対値エラー信号としてそのまま用いることはできない。絶対スケールは分かっているが、基準（ゼロまたはオフセット）が無いからである。即ち、コピーウィンドウサイズの変化のみを測定できる。この問題を回避するため、温度の関数としてコピーウィンドウサイズの微分を測定し、コピーウィンドウサイズｗを制御する制御情報を取得する。コピーウィンドウサイズｗの微分または変化量から直接位相振幅ΔΦを求められるので、検出された位相エラーの振幅ΔΦは該微分と一致し、コピーウィンドウの制御に仕様することができる。基準条件として、この位相エラー振幅ΔΦは、最初に決定された設定条件または設定点を満たさなければならない。この設定点からの変位をレーザパワー制御方法、またはその他の好適な読出パラメータ（例えば、外部磁場の強さ）を制御するために、制御信号PEを用いることができる。
【００３８】
制御されたパラメータ（例えば、本実施例ではレーザパワー）について、コイル−ディスク距離、環境温度等のパラメータの変化によるコピーウィンドウサイズの変化を補償する。
【００３９】
しかし、図４に示したｗ対ｘ曲線は、環境温度に応じて水平方向にシフトする。例えば、ドライブ内の温度が動作中に変化する場合、レーザパワーの「最適」値と外部磁場を記憶するだけでは十分ではない。温度が異なればこれらの「最適」値は異なる。さらにまた、ドライブにおけるこれらの値の絶対値測定は容易なことではない。この目的に使用する検出器とプローブはドリフトしやすく、較正が必要である。好ましい実施形態によると、最適な読出パラメータに対応する位相振幅を基準点として使用することが提案されている。この値は温度変化に依存せず、クロックジェネレータ２６のクロック回復PLL回路内の位相検出器の出力のロックイン検出により、非常に容易かつ正確に測定することができる。
【００４０】
図５は図４の下部と同様の図であり、正しい読み出しのための読み出しパラメータの範囲をｘ１とｘ２の間で示している。ｘ１は正しい読み出しパラメータの下限であり、ｘ２は上限である。例えば、下の禁止エリア１０１では、レーザパワーはｘ１よりも小さく、マークランレングスは予想より少ないMAMMOSピークしか生じない。同様に、上の禁止エリア１０２では、レーザパワーはｘ２よりも高く、付加的な偽のピークを生じる。
【００４１】
図６は、第１の好ましい実施形態による較正方法を示すフロー図である。提案された較正方法では、ステップS201において、再生データパターンをモニター及び分析しながら読み出しパラメータを変化させて、限度ｘ１とｘ２を決定する。変調Δｘはかけず、ウィンドウ制御ループは閉じない。即ち、コピーウィンドウ制御はアクティブではない。次に、ステップS202において、読み出しパラメータをｘ１とｘ２の間の値、好ましくは(x1+x2)/2くらいに設定する。それに続くステップS203において、制御ループがアクティブである場合のように固定変調Δｘをかけ、対応する位相振幅ΔΦを測定する。この測定された位相振幅ΔΦを新しい設定値SPとして用いる。新しい設定値SPを用いてコピーウィンドウの制御ループを（再度）アクティブにすることができる。
【００４２】
図１に示したディスクプレーヤにおいて、クロックジェネレータ２６の設定値ＳＰを決定するように構成された対応する構成回路２９０が設けられている。第１の好ましい実施形態によると、この設定値は図６の較正手順を用いて決定される。それに替えて、または加えて、第２の好ましい実施形態によると、設定値ＳＰをディスクにあらかじめ記憶しておき、それを読み出して較正回路２９０に供給してもよい。
【００４３】
図７は、較正回路２９０の制御信号を用いるコピーウィンドウ制御機能を示す詳細な機能ブロック図である。ブロック２６１ないし２６５はＰＬＬ部を構成し、ブロック２７４ないし２７６は、ロックイン検出機能を構成する。すなわち、信号に変調周波数をかけると和と差の周波数が現れ、それに続けてローパスフィルタをかけるとＤＣ値が得られる。すなわちロックインと等価である。第１の好ましい実施形態の対応する構成制御信号を点線で示した。
【００４４】
同様にブロック図で、外部磁場またはレーザと磁場の組み合わせの変調に基づきコピーウィンドウを制御する方法を示すことができる。制御信号ＰＥはヘッド駆動部１４に付加的に、またはそれだけで供給される。
【００４５】
図７において、図１のピックアップ部３０から取得したＭＡＭＭＯＳランレングス信号を図１のクロックジェネレータ２６のＰＬＬ回路の位相検出器２６１に供給する。ランレングス信号の位相がＰＬＬ回路の電圧制御オシレータ（ＶＣＯ）２６３の出力信号の位相と比較される。加えて、フィードバック信号がクロック分割器２７５に供給される。クロック分割器２７５は、クロック周波数を分割し、レーザパワーを変調する変調回路２７９に供給する。位相検出器２６１の出力は、ランレングス信号とフィードバック信号の間の位相差に対応し、ループフィルタ２６２に供給され、ここで所望の周波数が抽出されＰＬＬ回路で位相制御される。
【００４６】
データ依存磁場スイッチングのため、位相検出器２６１からの位相エラーの高周波成分は再生データのパルス位置を含む。レーザパワーがビットクロックよりＭ倍低い周波数で変調されているとき、位相検出器２６１からの位相エラーは、復調または混合回路２７４により復調される同期、低周波数レーザパワーエラー情報を含む。クロック分割器２７５の出力のレーザ変調信号はその復調または混合回路２７４に供給され、ローパスフィルタ２７６を用いて抽出される。混合回路とローパスフィルタの組み合わせは、変調周波数周辺のバンドパスフィルタ（すなわち「ロックイン」検出）と等価である。抽出された位相エラー信号は、加算回路２７２に供給され、設定値ＳＰが加算される。得られた合計値はパワー制御のための制御信号ＰＥとして用いる。制御信号ＰＥは平均回路２８０（例えばフィルターまたは積分回路）に供給され、平均パワー制御信号ＡＬＰを得る。もう１つの加算回路２７８でこの平均パワー制御信号ＡＬＰがレーザパワー変調信号に加えられる。結合したパワー制御信号は駆動アンプ２７７を介してピックアップ部３０のレーザダイオードに供給される。
【００４７】
回復された出力クロックはビット検出器２６４にも供給される。ビット検出器は、位相検出器２６１の出力信号中にあるビットの存否を検出する。検出したビット情報は出力データＤＯとして出力される。この出力データＤＯは回復された出力クロックとともに磁場スイッチング制御部２６５に供給され、磁気ヘッド１２の磁場コイルのコイルドライバー２７１を制御して磁場を生成する。このように、データ依存磁場スイッチング機能を実施する。
【００４８】
レーザ変調により、図３に示したように、変調の符号に応じてパルス位置がシフトする。これは、後続のロー期間および後続のハイ期間中の平均パルス位置にはもはやＤＣ成分があることを意味する。
【００４９】
異なるアプローチにより、構成回路２９０によるｘ１とｘ２（図６のステップ２０１）を決定することができる。ディスク１０に設けられた基地のデータパターンを有する較正エリアによりデータ分析が最小限になる。検出されたピーク数の偏差（例えばｘ１より下が少なすぎたり、ｘ２より上が多すぎたりする場合）は直ちにクリアされるからである。ユーザデータの較正も原理的には可能であるが、強いランレングス違反検出には特別な注意とより長いデータシーケンスが必要であり、較正手順に時間がかかる。それゆえ、較正パターンは固定されていることが好ましい。
【００５０】
較正回路２９０における読み出しパラメータ（例えば、図７に点線の矢印で示したレーザパワーLP及び／または磁場振幅FA）の変化はパッシブでもアクティブでもよい。パッシブの場合、再生データを分析しながらパラメータを下から上に、またはその逆にスイープする。必要な正確性に応じて、スイープは連続的でも段階的でもよい。下の値はｘ１よりも低く、上の値はｘ２よりも高くなければならない。すなわち、許容されるすべての温度とディスク特性をスイープする。スイープ中に、「ピークが少なすぎる」から「OK」への遷移、または上から下へのスイープの場合はその逆の遷移を検出したらすぐに、その時の読み出しパラメータ値をｘ１に格納する。「OK」から「ピークが多すぎる」への遷移、または上から下へのスイープの場合にはその逆の遷移を検出したらすぐに、ｘ２に格納する。
【００５１】
検出データによって読み出しパラメータが変化するアクティブアプローチの例として、例えば、プリセット値から開始してもよい。プリセット値はあらかじめ決定し、ディスク１０の製造時に読み出しパラメータに対して設定してもよい。再生データに応じて、すなわち、ピークが少なすぎる、OK、または多すぎる場合に応じて、遷移を検出し、ｘ１またはｘ２のいずれかが格納されるまでパラメータを連続的、または段階的に増加または減少させる。そして、この方法を繰り返して第２の遷移を見つける。例えば、開始点がｘ１より小さい場合、ｘを増加してｘ１を検出した後、ｘをさらにｘ２まで増加させる。同様に、ｘを減少させている場合、開始点がｘ２より大きい場合、ｘ２の後にｘをさらにｘ１まで減少させる。
【００５２】
ここで提案した較正方法により、既存のハードウェアと最適読み出しパラメータへの較正方法を用いて、設定点信号を正確に決定することができる。
【００５３】
実際に検出されたピークと予測されたピークの数の違いは、最適な読み出しパラメータからの偏差の（非線形な）尺度であるため、この情報を用いて読み出しパラメータ値を粗く修正することができる。
【００５４】
RF-MAMMOSの場合、外部磁場を高周波数で変化させるので、高密度の場合には実際的なマージンでコピーウィンドウを制御することが重要である。上に提案したように、読み出しパラメータ変調により誘起される位相振幅は好適な設定点であり、第１の好ましい実施形態と関連して説明した簡単な較正方法により見つけることができる。しかし、この補正方法には少し時間がかかり、スタートアップ時間が長くなってしまう。さらに、そのような設定点は、ディスク構成の非一様性や線速度の相違により、ディスクの半径の関数として変化し、その結果温度プロファイルが異なり、再生の際に再更正が必要となることが分かる。
【００５５】
図４によると、振幅ΔΦで読み出しパラメータを固定的に変調することと、その結果起こるコピーウィンドウの変化ΔΦ及び対応する位相振幅ΔΦとの間の関係は、コピーウィンドウサイズｘの読み出しパラメータｘへの依存性により完全に決まる。図４の上部に示した曲線の形は、ディスク１０に誘起された温度プロファイルとその磁気特性、主に読み出し層の保持力対温度特性により決まる。環境温度や外部磁場などの効果により、水平シフトが起きるが、曲線の形状は変わらない。それ故、シフトにより最適な読出パラメータは変化するが、位相振幅設定値SPは常に読出パラメータの最適値と一致する。
【００５６】
温度プロファイルは、光学系（すなわちレーザの波長と対物レンズの開口数）、ディスクの線速度により決まる。これらは標準化されており正確に仕様が決められている。また、温度プロファイルは、ディスクの層構造によっても決まる。これが意味することは、位相振幅の設定値SPはディスクの内在的特性として扱うことができるということである。
【００５７】
それ故、第２の好ましい実施形態において、ディスク１０この設定値、及び半径、速度、もしくは設定値に影響を与えるその他の好適なディスクパラメータの少なくとも１つに関する別の設定値ついて、またはディスク１０の別の設定値を記憶／更新して、予期しない問題が発生した場合にのみ較正を行うことを提案する。これにより不必要な較正を避けることができる。設定値SPは、ディスク１０の生産の際に向上で事前設定でき、例えば、第１の好ましい実施形態で説明したように、（例えば、標準的でないプレーヤを使用したときや、ディスクが古くなった時に）読み出し問題が発生した場合にだけ、較正を実行することによりディスクプレーヤで更新する必要がある。
【００５８】
磁気特性は層構造に大きく依存し、半径方向を厳密に一様にすることは困難なので、異なる半径位置またはその範囲には別の設定値を記憶しておくとよい。そのようなアプローチは、各速度一定（CAV）またはゾーンCAVで動作させる場合に、異なる線速度や速度範囲に対して別の設定値を決めるのに有用である。
【００５９】
第２の好ましい実施形態によると、較正回路２９０は、最初の読み出し動作に基づき、ディスク１０からデフォルトまたはプリセットされた設定値を取得するよう構成されている。設定値が複数ある場合、較正回路２９０は、例えば半径位置や各速度等のディスク特性に応じて現在の支配的な設定値SPを選択するように較正される。
【００６０】
留意すべきことは、本発明は、コピーウィンドウ制御機能を用いた、ドメイン拡大に対応した光磁気ディスク記憶システムの読み出しシステムであればどんなシステムにも適用可能であることである。どんな好適な読み出しパラメータも、最適設定値SPを得るための較正中に変化してしまう。さらにまた、いかなる好適な変化パターンを選択された読み出しパラメータに適用して、上限値ｘ１と下限値ｘ２、またはより多くの値、または単一の値を導いてもよい。これに基づき最適設定値SPを得ることができる。較正回路２７０は、ハードウェア回路またはソフトウェアで制御されたアナログもしくはデジタル処理回路により実施してもよく、ディスクプレーヤを制御する既存の制御プログラムの新しいルーチンとして組み込んでもよい。このように、好ましい実施形態は添付した請求項の範囲内で変化することもある。
【図面の簡単な説明】
【００６１】
【図１】好ましい実施形態による、光磁気ディスクプレーヤを示す概略図である。
【図２】所定の一定コピーウィンドウサイズに対するMAMMOS読出方法の特徴信号を示す図である。
【図３】検出されたMAMMOSピークのタイミングシフトが起こる、コピーウィンドウサイズを大きくしたMAMMOS読出方法の特徴信号を示す図である。
【図４】所定の読出パラメータ、コピーウィンドウサイズ、位相変化の間の依存性を示す図である。
【図５】読出パラメータの許容変化範囲を示す図である。
【図６】第１の好ましい実施形態による較正方法を示すフロー図である。
【図７】第１と第２の好ましい実施形態による、較正機能を有するコピーウィンドウ制御回路を示す概略ブロック図である。
【図１】
2006526234.tif 000003
【図２】
2006526234.tif 000004
【図３】
2006526234.tif 000005
【図４】
2006526234.tif 000006
【図５】
2006526234.tif 000007
【図６】
2006526234.tif 000008
【図７】
2006526234.tif 000009
【国際調査報告】
2006526234.tif 000010
2006526234.tif 000011